(57)【要約】【課題】「Ｉｎｔｅｒ-ｎｏｄｅ  ＵＰ  ａｇｇｒｅｇａｔｉｏｎ」においてＢＳＲの送信に起因するリソースの浪費を解消する。【解決手段】本発明に係る移動局ＵＥは、無線基地局ｅＮＢ＃１下のＣＣ＃１及び無線基地局ｅＮＢ＃２配下のＣＣ＃２を用いてＣＡが行われている場合に、無線基地局ｅＮＢ＃１に対して、かかるＣＡに係るＥＰＳベアラにおけるバッファ滞留量を通知するためのＢＳＲ＃１を送信した後、無線基地局ｅＮＢ＃２に対して、かかるＥＰＳベアラにおけるバッファ滞留量のうち無線基地局ｅＮＢ＃１に対して通知したバッファ滞留量以外のバッファ滞留量を通知するためのＢＳＲ＃２を送信するように構成されている送信部１２を具備する。【選択図】図５
2015032877.tif 000002
【特許請求の範囲】
【請求項１】
移動局であって、
第１無線基地局配下のコンポーネントキャリア及び第２無線基地局配下のコンポーネントキャリアを用いてキャリアアグリゲーションが行われている場合に、該第１無線基地局に対して、該キャリアアグリゲーションに係るベアラにおけるバッファ滞留量を通知するための第１バッファステータスレポートを送信した後、該第２無線基地局に対して、該ベアラにおけるバッファ滞留量のうち該第１無線基地局に対して通知したバッファ滞留量以外のバッファ滞留量を通知するための第２バッファステータスレポートを送信するように構成されている送信部を具備することを特徴とする移動局。
【請求項２】
前記送信部は、前記第２無線基地局に対して、前記第２バッファステータスレポートで、該第２無線基地局以外に対して通知したバッファ滞留量を通知するように構成されていることを特徴とする請求項１に記載の移動局。
【請求項３】
前記送信部は、前記第２無線基地局に対して、前記第２バッファステータスレポートで、該第１無線基地局に対して通知したバッファ滞留量を通知するように構成されていることを特徴とする請求項１に記載の移動局。
【請求項４】
前記送信部は、所定比率に応じて、前記ベアラにおけるバッファ滞留量のうち、前記第１バッファステータスレポートによって通知すべきバッファ滞留量及び前記第２バッファステータスレポートによって通知すべきバッファ滞留量を決定するように構成されていることを特徴とする請求項１乃至３のいずれか一項に記載の移動局。
【請求項５】
前記所定比率は、前記第１無線基地局及び前記第２無線基地局内における上りリンクでの平均データレート、前記移動局に対する上りリンクのリソースの割り当て率、及び、上りリンクにおける無線品質の少なくとも１つに基づいて決定されるように構成されていることを特徴とする請求項４に記載の移動局。
【請求項６】
前記所定比率は、再接続手順、セカンダリセルの削除手順、或いは、ランダムアクセス手順の少なくとも１つが行われる際に、リセットされるように構成されていることを特徴とする請求項４又は５に記載の移動局。
【請求項７】
移動局が、第１無線基地局配下のコンポーネントキャリア及び第２無線基地局配下のコンポーネントキャリアを用いてキャリアアグリゲーションを行うことができるように構成されている移動通信システムであって、
前記第１無線基地局は、ＲＬＣレイヤ機能と、該ＲＬＣレイヤ機能の上位レイヤ機能としてＰＤＣＰレイヤ機能とを具備しており、
前記第２無線基地局は、ＲＬＣレイヤ機能を具備しているが、該ＲＬＣレイヤ機能の上位レイヤ機能としてＰＤＣＰレイヤ機能とを具備しておらず、
前記移動局は、前記第１無線基地局及び前記第２無線基地局の各々に対して、ＲＬＣレイヤにおける制御信号を送信するように構成されており、
前記移動局は、前記第１無線基地局における前記ＲＬＣレイヤにおける制御信号のバッファ滞留量について前記第２無線基地局に対して通知しないように構成されていることを特徴とする移動通信システム。
【発明の詳細な説明】
【技術分野】
【０００１】
本発明は、移動局及び移動通信システムに関する。
【背景技術】
【０００２】
ＬＴＥ（Ｌｏｎｇ  Ｔｅｒｍ  Ｅｖｏｌｕｔｉｏｎ）方式では、移動局ＵＥは、上りリンクにおいて送信すべきデータが発生した場合には、以下の手順が行われることが規定されている（非特許文献１参照）。
【０００３】
ステップ１において、移動局ＵＥは、無線基地局ｅＮＢに対して、スケジューリング要求信号を送信する。
【０００４】
図１０に示すように、移動局ＵＥは、個別の上りリンクリソース（ＰＵＣＣＨ-ｓｃｈｅｄｕｌｉｎｇ  ｒｅｑｕｅｓｔ）を有している場合、かかる上りリンクリソースを用いて、無線基地局ｅＮＢに対して、スケジューリング要求信号を送信する。
【０００５】
一方、移動局ＵＥは、個別の上りリンクリソースを有していない場合、ＲＡ（Ｒａｎｄｏｍ  Ａｃｃｅｓｓ）手順を実行する。
【０００６】
ステップ２において、移動局ＵＥは、無線基地局ｅＮＢに対して、ＢＳＲ（Ｂｕｆｆｅｒ  Ｓｔａｔｕｓ  Ｒｅｐｏｒｔ）を送信する。
【０００７】
図１０に示すように、移動局ＵＥは、ステップ１において割り当てられた「ＵＬ  ｇｒａｎｔ」に対応するＰＵＳＣＨ（Ｐｈｙｓｉｃａｌ  Ｕｐｌｉｎｋ  Ｓｈａｒｅｄ  Ｃｈａｎｎｅｌ）を介して、無線基地局ｅＮＢに対して、ＢＳＲを送信する。
【０００８】
なお、ＲＡ手順が実行される場合には、「ＵＬ  ｇｒａｎｔ」は、「ＲＡ  ｒｅｓｐｏｎｓｅ」によって移動局ＵＥに対して割り当てられる。
【０００９】
図１１に示すように、移動局ＵＥは、送信すべきデータがバッファ内に蓄積されているＬＣＨ（Ｌｏｇｉｃａｌ  Ｃｈａｎｎｅｌ）を含むＬＣＧ（Ｌｏｇｉｃａｌ  Ｃｈａｎｎｅｌ  Ｇｒｏｕｐ）ごとに、かかるデータの総蓄積量（バッファ滞留量）をＢＳＲによって報告するように構成されている。
【００１０】
図１１の例では、移動局ＵＥは、ＬＣＨ＃Ａ〜＃Ｄごとではなく、ＬＣＧ＃０〜＃２ごとに、バッファ内のデータの総蓄積量について報告するように構成されている。
【００１１】
また、ＬＴＥ方式のＲｅｌｅａｓｅ１０までで規定されているＣＡ（Ｃａｒｒｉｅｒ  Ａｇｇｒｅｇａｔｉｏｎ、キャリアアグリゲーション）では、図１２に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【００１２】
一方、ＬＴＥ方式のＲｅｌｅａｓｅ-１２では、ＬＴＥ方式のＲｅｌｅａｓｅ-１０までのＣＡを拡張して、図１３に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｎｏｄｅ  ＵＰ  ａｇｇｒｅｇａｔｉｏｎ」が検討されている（非特許文献２）。
【００１３】
例えば、全てのＣＣを単一の無線基地局ｅＮＢ内に収容することができない場合に、ＬＴＥ方式のＲｅｌｅａｓｅ１０と同程度のスループットを実現するためには、「Ｉｎｔｅｒ-ｎｏｄｅ  ＵＰ  ａｇｇｒｅｇａｔｉｏｎ」を行うことが必要となる。
【先行技術文献】
【非特許文献】
【００１４】
【非特許文献１】３ＧＰＰ  ＴＳ３６.３２１
【非特許文献２】３ＧＰＰ寄書Ｒ２-１３１７８２
【発明の概要】
【発明が解決しようとする課題】
【００１５】
しかしながら、現在のＬＴＥ方式では、移動局ＵＥは、ＢＳＲによって、その時点で滞納している全ての上りリンク信号の滞留量を、バッファ滞留量として無線基地局ｅＮＢに通知するように構成されている。
【００１６】
したがって、かかる構成をそのまま「Ｉｎｔｅｒ-ｎｏｄｅ  ＵＰ  ａｇｇｒｅｇａｔｉｏｎ」に適用すると、移動局ＵＥは、複数の無線基地局ｅＮＢから過剰に「ＵＬ  ｇｒａｎｔ」を受け、リソース利用効率が低下してしまうという問題点があった。
【００１７】
例えば、図１４に示すように、移動局ＵＥ内に滞留している上りリンク信号のデータ量が３０００バイトである場合、移動局ＵＥは、ＢＳＲトリガ条件が満たされている場合、「ＵＬ  ｇｒａｎｔ」を受信した無線基地局ｅＮＢに対してＢＳＲを送信するように構成されているため、無線基地局ｅＮＢ＃１及び無線基地局ｅＮＢ＃２が、同一内容のＢＳＲ、すなわち、バッファ滞留量が３０００バイトである旨を通知するＢＳＲを受信してしまう可能性がある。
【００１８】
その結果、無線基地局ｅＮＢ＃１及び無線基地局ｅＮＢ＃２の両方が、移動局ＵＥに対して、３０００バイト分の「ＵＬ  ｇｒａｎｔ」を同時に割り当ててしまい、移動局ＵＥは、無線基地局ｅＮＢ＃１に対して、３０００バイトの上りリンク信号を送信し、無線基地局ｅＮＢ＃２に対して、３０００バイトのｐａｄｄｉｎｇを送信することになる。
【００１９】
そこで、本発明は、上述の課題に鑑みてなされたものであり、「Ｉｎｔｅｒ-ｎｏｄｅ  ＵＰ  ａｇｇｒｅｇａｔｉｏｎ」においてＢＳＲの送信に起因するリソースの浪費を解消することができる移動局及び移動通信システムを提供することを目的とする。
【課題を解決するための手段】
【００２０】
本発明の第１の特徴は、移動局であって、第１無線基地局配下のコンポーネントキャリア及び第２無線基地局配下のコンポーネントキャリアを用いてキャリアアグリゲーションが行われている場合に、該第１無線基地局に対して、該キャリアアグリゲーションに係るベアラにおけるバッファ滞留量を通知するための第１バッファステータスレポートを送信した後、該第２無線基地局に対して、該ベアラにおけるバッファ滞留量のうち該第１無線基地局に対して通知したバッファ滞留量以外のバッファ滞留量を通知するための第２バッファステータスレポートを送信するように構成されている送信部を具備することを要旨とする。
【００２１】
本発明の第２の特徴は、移動局が、第１無線基地局配下のコンポーネントキャリア及び第２無線基地局配下のコンポーネントキャリアを用いてキャリアアグリゲーションを行うことができるように構成されている移動通信システムであって、前記第１無線基地局は、ＲＬＣレイヤ機能と、該ＲＬＣレイヤ機能の上位レイヤ機能としてＰＤＣＰレイヤ機能とを具備しており、前記第２無線基地局は、ＲＬＣレイヤ機能を具備しているが、該ＲＬＣレイヤ機能の上位レイヤ機能としてＰＤＣＰレイヤ機能とを具備しておらず、前記移動局は、前記第１無線基地局及び前記第２無線基地局の各々に対して、ＲＬＣレイヤにおける制御信号を送信するように構成されており、前記移動局は、前記第１無線基地局における前記ＲＬＣレイヤにおける制御信号のバッファ滞留量について前記第２無線基地局に対して通知しないように構成されていることを要旨とする。
【発明の効果】
【００２２】
以上説明したように、本発明によれば、「Ｉｎｔｅｒ-ｎｏｄｅ  ＵＰ  ａｇｇｒｅｇａｔｉｏｎ」においてＢＳＲの送信に起因するリソースの浪費を解消することができる移動局及び移動通信システムを提供することができる。
【図面の簡単な説明】
【００２３】
【図１】本発明の第１の実施形態に係る移動通信システムの全体構成図である。
【図２】本発明の第１の実施形態に係る移動局ＵＥの機能ブロック図である。
【図３】本発明の第１の実施形態に係る移動局ＵＥによって送信されるＢＳＲのフォーマットの一例を示す図である。
【図４】本発明の第１の実施形態に係る移動局ＵＥによって送信されるＢＳＲのフォーマットの一例を示す図である。
【図５】本発明の第１の実施形態に係る移動通信システムの動作を説明するための図である。
【図６】本発明の第１の実施形態に係る移動局ＵＥの動作を示すフローチャートである。
【図７】本発明の変更例１に係る移動通信システムについて説明するための図である。
【図８】本発明の変更例１に係る移動局ＵＥの動作を示すフローチャートである。
【図９】本発明の変更例２に係る移動通信システムについて説明するための図である。
【図１０】従来技術を説明するための図である。
【図１１】従来技術を説明するための図である。
【図１２】従来技術を説明するための図である。
【図１３】従来技術を説明するための図である。
【図１４】従来技術を説明するための図である。
【発明を実施するための形態】
【００２４】
（本発明の第１の実施形態に係る移動通信システム）
図１乃至図６を参照して、本発明の第１の実施形態に係る移動通信システムについて説明する。
【００２５】
図１に示すように、本実施形態に係る移動通信システムは、ＬＴＥ方式の移動通信システムであって、無線基地局ｅＮＢ＃１と、無線基地局ｅＮＢ＃２と、移動局ＵＥとを具備している。
【００２６】
本実施形態に係る移動通信システムでは、移動局ＵＥは、無線基地局ｅＮＢ＃１配下のＣＣ＃１及び無線基地局ｅＮＢ＃２配下のＣＣ＃２を用いてＣＡを行うことができるように構成されている。
【００２７】
すなわち、本実施形態に係る移動通信システムは、「Ｉｎｔｅｒ-ｎｏｄｅ  ＵＰ  ａｇｇｒｅｇａｔｉｏｎ」を行うことができるように構成されている。
【００２８】
なお、かかるＣＡが行われている場合には、移動局ＵＥは、１つ又は複数のＥＰＳ（Ｅｖｏｌｖｅｄ  Ｐａｃｋｅｔ  Ｓｙｓｔｅｍ）ベアラを用いて通信するように構成されている。
【００２９】
図２に示すように、本実施形態に係る移動局ＵＥは、受信部１１と、送信部１２と、ＣＡ制御部１３と、ＢＳＲ生成部１４とを具備している。
【００３０】
受信部１１は、無線基地局ｅＮＢ＃１及び無線基地局ｅＮＢ＃２によって送信された各種信号を受信するように構成されており、送信部１２は、無線基地局ｅＮＢ＃１及び無線基地局ｅＮＢ＃２に対して各種信号を送信するように構成されている。
【００３１】
ＣＡ制御部１３は、受信部１１及び送信部１２を協働して、上述のＣＡ、すなわち、「Ｉｎｔｅｒ-ｎｏｄｅ  ＵＰ  ａｇｇｒｅｇａｔｉｏｎ」に係る制御を行うように構成されている。
【００３２】
ＢＳＲ生成部１４は、無線基地局ｅＮＢ＃１宛てのＢＳＲ＃１及び無線基地局ｅＮＢ＃２宛てのＢＳＲ＃２を生成するように構成されている。
【００３３】
ここで、上述のＣＡが行われている場合に、送信部１２は、同一のＥＰＳベアラ内のバッファ滞留量（滞留している上りリンク信号のデータ量）に関して、無線基地局ｅＮＢ＃１に対して通知済みのバッファ滞留量と、無線基地局ｅＮＢ＃２に対して通知済みのバッファ滞留量とを区別するように構成されている。
【００３４】
例えば、上述のＣＡが行われている場合に、送信部１２は、かかるＣＡに係るＥＰＳベアラにおいて送信すべき上りリンク信号として１０００バイトの上りリンク信号が発生した場合、無線基地局ｅＮＢ＃１に対して、バッファ滞留量（１０００バイト）を通知するためのＢＳＲ＃１を送信した後、更に、かかるＣＡに係るＥＰＳベアラにおいて送信すべき上りリンク信号として５００バイトの上りリンク信号が発生した場合、無線基地局ｅＮＢ＃２に対して、かかるＥＰＳベアラにおけるバッファ滞留量（１５００バイト）のうち無線基地局ｅＮＢ＃１に対して通知したバッファ滞留量（１０００バイト）以外のバッファ滞留量（５００バイト）を通知するためのＢＳＲ＃２を送信するように構成されている。
【００３５】
また、無線品質劣化等の理由により、無線基地局ｅＮＢ＃１（又は、無線基地局ｅＮＢ＃２）配下のＣＣ（セル）における上りリンクのリソース割り当てが不可になった場合に、無線基地局ｅＮＢ＃２（又は、無線基地局ｅＮＢ＃１）配下のＣＣ（セル）ですぐに上りリンクのリソース割り当てを行うことができるように、送信部１２は、無線基地局ｅＮＢ＃１（又は、無線基地局ｅＮＢ＃２）に対して、ＢＳＲ＃１（又は、ＢＳＲ＃２）で、無線基地局ｅＮＢ＃１（又は、無線基地局ｅＮＢ＃２）以外に対して通知したバッファ滞留量を通知するように構成されていてもよい。
【００３６】
ここで、図３に示すように、ＢＳＲ＃１（又は、ＢＳＲ＃２）は、Ｂ０〜Ｂ７のビットを用いて、上述のバッファ滞留量がどの無線基地局ｅＮＢに対して通知されたかについて示すように構成されていてもよい。
【００３７】
或いは、図４に示すように、ＢＳＲ＃１及びＢＳＲ＃２は、１ビットで、単に、上述のバッファ滞留量が、他の無線基地局ｅＮＢに対して通知されたかについて示すように構成されていてもよい。
【００３８】
以下、図５及び図６を参照して、本実施形態に係る移動通信システムの動作について説明する。
【００３９】
第１に、図５を参照して、本実施形態に係る移動通信システムにおいて「Ｉｎｔｅｒ-ｎｏｄｅ  ＵＰ  ａｇｇｒｅｇａｔｉｏｎ」が行われている際に移動局ＵＥがＢＳＲを送信する動作について説明する。
【００４０】
以下、便宜上「Ｉｎｔｅｒ-ｎｏｄｅ  ＵＰ  ａｇｇｒｅｇａｔｉｏｎ」に係るＥＰＳベアラは１本であるものとする。
【００４１】
図５に示すように、時刻ｔにおいて、「Ｉｎｔｅｒ-ｎｏｄｅ  ＵＰ  ａｇｇｒｅｇａｔｉｏｎ」に係るＥＰＳベアラにおけるバッファ滞留量（総量）は、０バイトであり、無線基地局ｅＮＢ＃１及び無線基地局ｅＮＢ＃２において把握されているバッファ滞留量（上述のＥＰＳベアラ内）も、０バイトである。
【００４２】
時刻ｔ＋１において、「Ｉｎｔｅｒ-ｎｏｄｅ  ＵＰ  ａｇｇｒｅｇａｔｉｏｎ」に係るＥＰＳベアラにおいて送信すべき上りリンク信号（ＵＬデータ）が２００バイト発生すると、時刻ｔ＋２において、移動局ＵＥは、無線基地局ｅＮＢ＃１に対して、バッファ滞留量が２００バイトである旨を通知するＢＳＲ＃１を送信する。
【００４３】
その結果、時刻ｔ＋２において、無線基地局ｅＮＢ＃１において把握されているバッファ滞留量（上述のＥＰＳベアラ内）は、２００バイトとなる。ここで、上述のＥＰＳベアラにおけるバッファ滞留量（総量）は、２００バイトである。
【００４４】
時刻ｔ＋３において、かかるＥＰＳベアラにおいて送信すべき上りリンク信号（ＵＬデータ）が３００バイト発生すると、時刻ｔ＋４において、移動局ＵＥは、無線基地局ｅＮＢ＃２に対して、バッファ滞留量が３００バイトである旨を通知するＢＳＲ＃２を送信する。
【００４５】
その結果、時刻ｔ＋４において、無線基地局ｅＮＢ＃２において把握されているバッファ滞留量（上述のＥＰＳベアラ内）は、３００バイトとなる。ここで、上述のＥＰＳベアラにおけるバッファ滞留量（総量）は、５００バイトである。
【００４６】
移動局ＵＥは、無線基地局ｅＮＢ＃２からの「ＵＬ  ｇｒａｎｔ」に応じて、時刻ｔ＋５において、無線基地局ｅＮＢ＃２に対して、１００バイトの上りリンク信号（ＵＬデータ）を送信し、時刻ｔ＋６において、無線基地局ｅＮＢ＃２に対して、１００バイトの上りリンク信号（ＵＬデータ）を送信する。
【００４７】
その結果、時刻ｔ＋６において、無線基地局ｅＮＢ＃２において把握されているバッファ滞留量（上述のＥＰＳベアラ内）は、１００バイトとなる。ここで、上述のＥＰＳベアラにおけるバッファ滞留量（総量）は、３００バイトである。
【００４８】
移動局ＵＥは、無線基地局ｅＮＢ＃１からの「ＵＬ  ｇｒａｎｔ」に応じて、時刻ｔ＋７において、無線基地局ｅＮＢ＃１に対して、１００バイトの上りリンク信号（ＵＬデータ）を送信する。
【００４９】
その結果、時刻ｔ＋７において、無線基地局ｅＮＢ＃１において把握されているバッファ滞留量（上述のＥＰＳベアラ内）は、１００バイトとなる。ここで、上述のＥＰＳベアラにおけるバッファ滞留量（総量）は、２００バイトである。
【００５０】
時刻ｔ＋８において、ＥＰＳベアラにおいて送信すべき上りリンク信号（ＵＬデータ）が３００バイト発生すると、移動局ＵＥは、無線基地局ｅＮＢ＃１に対して、バッファ滞留量が４００バイトである旨を通知するＢＳＲ＃１を送信する。
【００５１】
その結果、時刻ｔ＋８において、無線基地局ｅＮＢ＃１において把握されているバッファ滞留量（上述のＥＰＳベアラ内）は、４００バイトとなる。ここで、上述のＥＰＳベアラにおけるバッファ滞留量（総量）は、５００バイトである。
【００５２】
第２に、図６を参照して、本実施形態に係る移動局ＵＥの動作について説明する。
【００５３】
図６に示すように、ステップＳ１０１において、移動局ＵＥは、ＢＳＲがトリガされているか否かについて、すなわち、ＢＳＲトリガ条件が満たされているか否かについて判定する。
【００５４】
「Ｙｅｓ」の場合、本動作は、ステップＳ１０２に進み、「Ｎｏ」の場合、本動作は、終了する。
【００５５】
ステップＳ１０２において、移動局ＵＥは、ＢＳＲによって他の無線基地局ｅＮＢに対して通知したバッファ滞留量が存在するか否かについて判定する。
【００５６】
「Ｙｅｓ」の場合、本動作は、ステップＳ１０３に進み、「Ｎｏ」の場合、本動作は、ステップＳ１０４に進む。
【００５７】
ステップＳ１０３において、移動局ＵＥは、ＢＳＲによって、他の無線基地局ｅＮＢに対して通知したバッファ滞留量以外のバッファ滞留量について通知する。
【００５８】
一方、ステップＳ１０４において、移動局ＵＥは、ＢＳＲによって、全てのバッファ滞留量について通知する。
【００５９】
（変更例１）
以下、図７及び図８を参照して、本発明の変更例１に係る移動通信システムについて、上述の第１の実施形態に係る移動通信システムとの相違点に着目して説明する。
【００６０】
本変更例１に係る移動通信システムでは、移動局ＵＥの送信部１２は、所定比率に応じて、上述のＥＰＳベアラにおけるバッファ滞留量のうち、ＢＳＲ＃１によって通知すべきバッファ滞留量及びＢＳＲ＃２によって通知すべきバッファ滞留量を決定するように構成されている。
【００６１】
例えば、図７に示すように、所定比率が、（無線基地局ｅＮＢ＃１：無線基地局ｅＮＢ＃２）＝２：１である場合、移動局ＵＥ内のＥＰＳベアラにおいて送信すべき上りリンク信号として９００バイトの上りリンク信号が発生した場合、移動局ＵＥの送信部１２は、無線基地局ｅＮＢ＃１に対して、バッファ滞留量が６００バイトである旨を通知するＢＳＲ＃１を送信すると共に、無線基地局ｅＮＢ＃１に対して、バッファ滞留量が３００バイトである旨を通知するＢＳＲ＃２を送信するように構成されている。
【００６２】
なお、かかる所定比率は、無線基地局ｅＮＢや移動管理ノードＭＭＥ等のネットワークによって指定されてもよい。
【００６３】
かかる指定は、ＲＲＣ（Ｒａｄｉｏ  Ｒｅｓｏｕｒｃｅ  Ｃｏｎｔｒｏｌ）レイヤによって行われてもよいし、ＭＡＣ（Ｍｅｄｉａ  Ａｃｃｅｓｓ  Ｃｏｎｔｒｏｌ）レイヤによって行われてもよい。
【００６４】
また、無線基地局ｅＮＢは、かかる所定比率を用いて、上りリンク信号を送信するためのリソースの割り当てを行ってもよい。
【００６５】
さらに、上述の所定比率は、無線基地局ｅＮＢ＃１及び無線基地局ｅＮＢ＃２内における上りリンクでの平均データレート（或いは、平均スループット）、移動局ＵＥに対する上りリンクのリソースの割り当て率、及び、上りリンクにおける無線品質（ＣＱＩ等）の少なくとも１つに基づいて決定されるように構成されていてもよい。すなわち、かかる所定比率は、随時、更新されるように構成されていてもよい。
【００６６】
例えば、上述の所定比率は、上述の平均データレートが早い無線基地局ｅＮＢや無線品質の良い無線基地局ｅＮＢの割合が高くなるように構成されていてもよい。
【００６７】
また、上述の所定比率は、再接続手順、Ｓｃｅｌｌ（Ｓｅｏｃｎｄａｒｙ  Ｃｅｌｌ、セカンダリセル）の削除手順、或いは、ＲＡ手順等の少なくとも１つが行われる際に、リセットされるように構成されていてもよい。
【００６８】
以下、図８を参照して、本実施形態に係る移動局ＵＥの動作について説明する。
【００６９】
図８に示すように、ステップＳ２０１において、移動局ＵＥは、ＢＳＲがトリガされているか否かについて、すなわち、ＢＳＲトリガ条件が満たされているか否かについて判定する。
【００７０】
「Ｙｅｓ」の場合、本動作は、ステップＳ２０２に進み、「Ｎｏ」の場合、本動作は、終了する。
【００７１】
ステップＳ２０２において、移動局ＵＥは、上述の所定比率がネットワークから指定されているか否かについて判定する。
【００７２】
「Ｙｅｓ」の場合、本動作は、ステップＳ２０３に進み、「Ｎｏ」の場合、本動作は、ステップＳ２０４に進む。
【００７３】
ステップＳ２０３において、移動局ＵＥは、無線基地局ｅＮＢに対して、かかる所定比率に従って算出したバッファ滞留量を通知するＢＳＲを送信する。
【００７４】
一方、ステップＳ２０４において、移動局ＵＥは、ＢＳＲによって、全てのバッファ滞留量について通知する。
【００７５】
（変更例２）
以下、図９を参照して、本発明の変更例２に係る移動通信システムについて、上述の第１の実施形態及び変更例１に係る移動通信システムとの相違点に着目して説明する。
【００７６】
図９に示すように、無線基地局ｅＮＢ＃１は、物理（ＰＨＹ）レイヤ機能と、物理レイヤ機能の上位レイヤ機能としてのＭＡＣレイヤ機能と、ＭＡＣレイヤ機能の上位レイヤ機能としてのＲＬＣ（Ｒａｄｉｏ  Ｌｉｎｋ  Ｃｏｎｔｒｏｌ）レイヤ機能と、ＲＬＣレイヤ機能の上位レイヤ機能としてのＰＤＣＰ（Ｐａｃｋｅｔ  Ｄａｔａ  Ｃｏｎｖｅｒｇｅｎｃｅ  Ｐｒｔｏｃｏｌ）レイヤ機能とを具備している。
【００７７】
一方、無線基地局ｅＮＢ＃１は、物理（ＰＨＹ）レイヤ機能と、物理レイヤ機能の上位レイヤ機能としてのＭＡＣレイヤ機能と、ＭＡＣレイヤ機能の上位レイヤ機能としてのＲＬＣレイヤ機能とを具備しているが、ＲＬＣレイヤ機能の上位レイヤ機能としてのＰＤＣＰレイヤ機能については具備していない。
【００７８】
かかるプロトコルストックでは、ＲＬＣレイヤ機能が、各無線基地局ｅＮＢ＃１/ｅＮＢ＃２で終端されているため、ＲＬＣレイヤにおける「ｃｏｎｔｒｏｌ  ＰＤＵ（Ｐａｃｋｅｔ  Ｄａｔａ  Ｕｎｉｔ）」、例えば、「ＲＬＣ  ｓｔａｔｕｓ  ｒｅｐｏｒｔ」は、各無線基地局ｅＮＢ＃１/ｅＮＢ＃２にフィードバックされる必要がある。
【００７９】
したがって、移動局ＵＥは、無線基地局ｅＮＢ＃１及び無線基地局ｅＮＢ＃２の各々に対して、ＲＬＣレイヤにおける「ｃｏｎｔｒｏｌ  ＰＤＵ」を送信するように構成されている。
【００８０】
かかる場合、移動局ＵＥは、無線基地局ｅＮＢ＃１において終端されているＲＬＣレイヤに対応する移動局ＵＥにおけるＲＬＣレイヤにおける「ｃｏｎｔｒｏｌ  ＰＤＵ」のバッファ滞留量について無線基地局ｅＮＢ＃２に対して通知しないように構成されている。
【００８１】
以上に述べた本実施形態の特徴は、以下のように表現されていてもよい。
【００８２】
本実施形態の第１の特徴は、移動局ＵＥであって、無線基地局ｅＮＢ＃１（第１無線基地局）配下のＣＣ＃１及び無線基地局ｅＮＢ＃２（第２無線基地局）配下のＣＣ＃２を用いてＣＡが行われている場合に、無線基地局ｅＮＢ＃１に対して、かかるＣＡに係るＥＰＳベアラにおけるバッファ滞留量を通知するためのＢＳＲ＃１（第１バッファステータスレポート）を送信した後、無線基地局ｅＮＢ＃２に対して、かかるＥＰＳベアラにおけるバッファ滞留量のうち無線基地局ｅＮＢ＃１に対して通知したバッファ滞留量以外のバッファ滞留量を通知するためのＢＳＲ＃２（第２バッファステータスレポート）を送信するように構成されている送信部１２を具備することを要旨とする。
【００８３】
かかる特徴によれば、無線基地局ｅＮＢ＃１及び無線基地局ｅＮＢ＃２の両方が、同一内容のＢＳＲを受信するという事態を回避することができ、「Ｉｎｔｅｒ-ｎｏｄｅ  ＵＰ  ａｇｇｒｅｇａｔｉｏｎ」においてＢＳＲの送信に起因するリソースの浪費を解消することができる。
【００８４】
本実施形態の第１の特徴において、送信部１２は、無線基地局ｅＮＢ＃２に対して、ＢＳＲ＃２で、無線基地局ｅＮＢ＃２以外に対して通知したバッファ滞留量を通知するように構成されていてもよい。
【００８５】
かかる特徴によれば、無線品質劣化等の理由により、無線基地局ｅＮＢ＃１配下のＣＣ（セル）における上りリンクのリソース割り当てが不可になった場合に、無線基地局ｅＮＢ＃２配下のＣＣ（セル）ですぐに上りリンクのリソース割り当てを行うことができる。
【００８６】
本実施形態の第１の特徴において、送信部１２は、無線基地局ｅＮＢ＃２に対して、ＢＳＲ＃２で、無線基地局ｅＮＢ＃１に対して通知したバッファ滞留量を通知するように構成されていてもよい。
【００８７】
かかる特徴によれば、複数の無線基地局ｅＮＢに跨った「Ｉｎｔｅｒ-ｎｏｄｅ  ＵＰ  ａｇｇｒｅｇａｔｉｏｎ」が行われている場合に、無線基地局ｅＮＢ＃２が、各無線基地局ｅＮＢ（無線基地局ｅＮＢ＃１）に対して通知したバッファ滞留量を把握することができる。
【００８８】
本実施形態の第１の特徴において、送信部１２は、所定比率に応じて、上述のＥＰＳベアラにおけるバッファ滞留量のうち、ＢＳＲ＃１によって通知すべきバッファ滞留量及びＢＳＲ＃２によって通知すべきバッファ滞留量を決定するように構成されていてもよい。
【００８９】
かかる特徴によれば、移動局ＵＥは、所定比率に応じて、各無線基地局ｅＮＢ＃１/ｅＮＢ＃２に対して通知すべきバッファ滞留量を決定するように構成されているため、上りリンクリソースの割り当てを、各種事情に応じて柔軟に行うことができる。
【００９０】
本実施形態の第１の特徴において、上述の所定比率は、無線基地局ｅＮＢ＃１及び無線基地局ｅＮＢ＃２内における上りリンクでの平均データレート、移動局ＵＥに対する上りリンクのリソースの割り当て率、及び、上りリンクにおける無線品質の少なくとも１つに基づいて決定されるように構成されていてもよい。
【００９１】
かかる特徴によれば、通信事情に応じて、上述の所定比率について、随時、適切な値に更新することができる。
【００９２】
本実施形態の第１の特徴において、上述の所定比率は、再接続手順、Ｓｃｅｌｌ（セカンダリセル）の削除手順、或いは、ＲＡ手順（ランダムアクセス手順）の少なくとも１つが行われる際に、リセットされるように構成されていてもよい。
【００９３】
かかる特徴によれば、通信開始時や異常検出時等において、上述の所定比率をリセットして、再度、適切な値に設定することができる。
【００９４】
本実施形態の第２の特徴は、移動局ＵＥが、無線基地局ｅＮＢ＃１配下のＣＣ＃１及び無線基地局ｅＮＢ＃２配下のＣＣ＃２を用いてＣＡを行うことができるように構成されている移動通信システムであって、無線基地局ｅＮＢ＃は、ＲＬＣレイヤ機能と、かかるＲＬＣレイヤ機能の上位レイヤ機能としてＰＤＣＰレイヤ機能とを具備しており、無線基地局ｅＮＢ＃２は、ＲＬＣレイヤ機能を具備しているが、かかるＲＬＣレイヤ機能の上位レイヤ機能としてＰＤＣＰレイヤ機能とを具備しておらず、移動局ＵＥは、無線基地局ｅＮＢ＃１及び無線基地局ｅＮＢ＃２の各々に対して、ＲＬＣレイヤにおける「ｃｏｎｔｒｏｌ  ＰＤＵ（制御信号）」を送信するように構成されており、移動局ＵＥは、無線基地局ｅＮＢ＃１におけるＲＬＣレイヤにおける「ｃｏｎｔｒｏｌ  ＰＤＵ」のバッファ滞留量について無線基地局ｅＮＢ＃２に対して通知しないように構成されていることを要旨とする。
【００９５】
かかる特徴によれば、上述のプロトコルスタックにおいて、無線基地局ｅＮＢ＃１で終端しているＲＬＣレイヤにおける「ｃｏｎｔｒｏｌ  ＰＤＵ」は、必ず無線基地局ｅＮＢ＃１に送信されるように構成されているため、かかる「ｃｏｎｔｒｏｌ  ＰＤＵ」のバッファ滞留量について無線基地局ｅＮＢ＃２に対して通知することによる負荷を軽減することができる。
【００９６】
なお、上述の移動局ＵＥや無線基地局局ｅＮＢ＃１/ｅＮＢ＃２の動作は、ハードウェアによって実施されてもよいし、プロセッサによって実行されるソフトウェアモジュールによって実施されてもよいし、両者の組み合わせによって実施されてもよい。
【００９７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃２内に設けられていてもよい。また、かかる記憶媒体及びプロセッサは、ディスクリートコンポーネントとして移動局ＵＥや無線基地局ｅＮＢ＃１/ｅＮＢ＃２内に設けられていてもよい。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１００】
ｅＮＢ＃１、ｅＮＢ＃２…無線基地局
ＵＥ…移動局
１１…受信部
１２…送信部
１３…ＣＡ制御部
１４…ＢＳＲ生成部
【図１】
2015032877.tif 000003
【図２】
2015032877.tif 000004
【図３】
2015032877.tif 000005
【図４】
2015032877.tif 000006
【図５】
2015032877.tif 000007
【図６】
2015032877.tif 000008
【図７】
2015032877.tif 000009
【図８】
2015032877.tif 000010
【図９】
2015032877.tif 000011
【図１０】
2015032877.tif 000012
【図１１】
2015032877.tif 000013
【図１２】
2015032877.tif 000014
【図１３】
2015032877.tif 000015
【図１４】
2015032877.tif 000016